(57)【特許請求の範囲】
【請求項１】
公共交通車両の座席に腰掛けている乗客の前記座席の前端より前方約３０〜３５ｃｍの床面上の位置に車両の進行方向の中央線に沿って第１のマナーラインと、前記車両の進行方向の中央線に直交し、前記第１のマナーラインに接続される、前記座席の幅に対応した第２のマナーラインを設定し、前記第１及び第２のマナーラインを基準にして区切った範囲を撮像する撮像装置を前記車両の天井面に配置し、前記撮像装置により、前記第１及び第２のマナーラインとクロスする乗客の足及び所持品の位置を検出することを特徴とする公共交通車両内でのマナーの悪さに対する注意喚起装置。
【請求項２】
請求項１記載の公共交通車両内でのマナーの悪さに対する注意喚起装置において、前記第１及び第２のマナーラインとクロスする乗客の足及び所持品が検出された乗客に対して矯正を促すことを特徴とする公共交通車両内でのマナーの悪さに対する注意喚起装置。
【発明の詳細な説明】
【技術分野】
【０００１】
本発明は、電車、ＬＲＴやバス等の公共交通車両内でのマナーの悪さに対する注意喚起装置に係り、特に電車のシートに着座中の乗客の足や、荷物、傘や杖等の所持品の投げ出しに対する注意を喚起する床面上のマナーラインに関するものである。
【背景技術】
【０００２】
従来、電車等の公共交通車両内のシートに着座中の乗客のマナーが問題になっている。特に、乗車率が高い時間帯に、座席に座っている乗客の足や、荷物、傘や杖等の所持品が通路の中央近くまで妄りに投げ出されていると、車内を移動中の乗客が足を掬われて転倒するといった事態にもなりかねない。
このような事態を防止するために、車内の通路に通行路として幅の広い領域を表示している車両も見受けられる（下記非特許文献１参照）。
【非特許文献１】第５回仙台市高速鉄道東西線トータルデザイン委員会，資料２，「車両デザインガイドラインについて」平成１８年９月２７日，仙台市交通局東西線建設本部
【発明の開示】
【発明が解決しようとする課題】
【０００３】
しかしながら、上記したような電車等の公共交通車両内のシートに座っている乗客のマナーの悪さに対して、自らの注意を喚起する施策がなされているとは言えないのが現状である。
本発明は、上記状況に鑑みて、公共交通車両内のシートに着座中の乗客の専有領域を明確にし、隣接する乗客及び通路を通行する乗客に迷惑をかけないように注意を促す公共交通車両内でのマナーの悪さに対する注意喚起装置を提供することを目的とする。
【課題を解決するための手段】
【０００４】
本発明は、上記目的を達成するために、
〔１〕公共交通車両内でのマナーの悪さに対する注意喚起装置において、公共交通車両の座席に腰掛けている乗客の前記座席の前端より前方約３０〜３５ｃｍの前記床面上の位置に車両の進行方向の中央線に沿って第１のマナーラインと、前記車両の進行方向の中央線に直交し、前記第１のマナーラインに接続される、前記座席の幅に対応した第２のマナーラインを設定し、前記第１及び第２のマナーラインを基準にして区切った範囲を撮像する撮像装置を前記車両の天井面に配置し、前記撮像装置により、前記第１及び第２のマナーラインとクロスする乗客の足及び所持品の位置を検出することを特徴とする。
【０００５】
〔２〕上記〔１〕記載の公共交通車両内でのマナーの悪さに対する注意喚起装置において、前記第１及び第２のマナーラインとクロスする乗客の足及び所持品が検出された乗客に対して矯正を促すことを特徴とする。
【発明の効果】
【０００６】
本発明によれば、次のような効果を奏することができる。
（１）公共交通車両の座席に腰掛けている乗客に対して車内での道徳としてのマナーを喚起して、互いに快適な車内の雰囲気を醸成する。
（２）公共交通車両の座席に腰掛けている乗客が専有領域を逸脱する場合には、その旨を報知し注意を促すことができる。
【発明を実施するための最良の形態】
【０００７】
本発明の公共交通車両内でのマナーの悪さに対する注意喚起装置は、公共交通車両の座席に腰掛けている乗客の前記座席の前端より前方約３０〜３５ｃｍの前記床面上の位置に車両の進行方向の中央線に沿って第１のマナーラインと、前記車両の進行方向の中央線に直交し、前記第１のマナーラインに接続される、前記座席の幅に対応した第２のマナーラインを設定し、前記第１及び第２のマナーラインを基準にして区切った範囲を撮像する撮像装置を前記車両の天井面に配置し、前記撮像装置により、前記第１及び第２のマナーラインとクロスする乗客の足及び所持品の位置を検出する。
【実施例】
【０００８】
以下、本発明の実施の形態について詳細に説明する。
図１は本発明の実施例を示す電車内でのマナーの悪さに対する注意喚起装置の斜視図、図２はその平面模式図である。
これらの図において、１は車両、２は車両１内に配置される座席、３は座席２に腰掛けている乗客、４はその乗客３の足、５は車両１の進行方向の中心線、６はその床面の中心線５に平行な第１のマナーライン（通路確保ライン）であり、座席２の前端から３０〜３５ｃｍの位置の床面上に設定されている。
【０００９】
座席２に座った乗客３の足４（荷物、傘や杖等の所持品）が通路に投げ出されると、車両１内を移動する乗客が足をすくわれて転倒するといった事故が生じる恐れがある。また、着座した乗客３の周りに立っている他の乗客にも迷惑をかけることになる。そこで、座席２の前端から３０〜３５ｃｍの位置に第１のマナーライン６を設ける。また、第１のマナーライン６には乗客３の方向に向かった形状を有する第１のマーク７を設定するようにしている。これは、第１のマナーライン６から座席２側が座っている乗客３の専有領域であることを示し、第１のマナーライン６を越えて通路に侵入しないように乗客に意識させるためのものである。
【００１０】
更に、１１は座席２の幅に対応して車両１の進行方向の中心線５に直交するように床面上に設定された第２のマナーライン（区切りライン）であり、座席２に腰掛けている乗客３が隣りの乗客の専有領域にまで侵入して足４（荷物、傘や杖等の所持品を含む）を投げ出さないようにするために設ける。
この第２のマナーライン１１にも座っている乗客それぞれの専有領域を明確にするように、第２のマーク１２を設定する。これにより第２のマナーライン１１を越えて隣の乗客の領域まで侵入しないように乗客に意識させるようにする。
【００１１】
このように、本発明によれば、座席２に腰掛けている乗客３は前とその左右に設定されている床面上のマナーラインを意識することで、公共の乗物である電車内でのマナー遵守を醸成することができる。
なお、１３は車両の天井の中央線上に配置される撮像装置であり、この詳細については後述する。
【００１２】
図３は本発明の他の実施例を示す電車内でのマナーの悪さに対する注意喚起装置の模式図であり、図３（ａ）は車内での撮像装置による撮像状況を示す図、第３（ｂ）は撮像された画像を示す図である。
これらの図において、座席２１に腰掛けた乗客２２，２３，２４，２５がいる場合に、床面２６上の第１のマナーライン３１と第２のマナーライン３２とを基準にして範囲を区切った、画像Ｐ1 ，Ｐ2 ，Ｐ3 ，Ｐ4 を、車内の天井面の中央部に配置した撮像装置１３で撮像する。撮像装置１３の配置位置は、画像Ｐ1 ，Ｐ2 ，Ｐ3 ，Ｐ4 を的確に得ることができる位置であれば適宜設定できるが、図２に示すように、７つの座席が向かい合った１ブロックの天井の中央位置に撮像装置１３を配置するのが好適である。
【００１３】
そこで、その各画像Ｐ1 ，Ｐ2 ，Ｐ3 ，Ｐ4 で第１のマナーライン３１と第２のマナーライン３２とクロスしたマナーの悪い乗客の足３４，３５，３６が検知された場合には、この画像Ｐ2 ，Ｐ4 は車掌室内の画像表示装置に表示される。この画像により、乗客２３及び乗客２５は明らかにマナーが悪いことが分かるので、車掌はそのマナーの悪さを改めるように注意する車内放送を行うようにする。当然、車掌がそのマナーの悪い乗客の元へ赴いて注意を促すようにしてもよい。
【００１４】
なお、ここで用いられる撮像装置１３は、着座した乗客のマナー監視に利用するだけでなく、車内での乗客の振る舞いをも見て取れるようにできることは言うまでもない。
また、この電車内でのマナーの悪さに対する注意喚起装置の存在については、定時的に車内放送により乗客に周知させ、協力を呼びかけるようにすると効果を上げることができる。
【００１５】
なお、上記実施例では車内での移動に支障を来すものとして、乗客３の足４を挙げて説明したが、荷物、傘や杖等の所持品も含まれる。
また、上記実施例では、電車内でのマナーの悪さに対する注意喚起装置について説明したが、電車に限らずＬＲＴやバスなどの公共交通車両にも適用することができる。
なお、本発明は上記実施例に限定されるものではなく、本発明の趣旨に基づき種々の変形が可能であり、これらを本発明の範囲から排除するものではない。
【産業上の利用可能性】
【００１６】
本発明の公共交通車両内でのマナーの悪さに対する注意喚起装置は、座席の前とその左右の床面上に設定されるマナーラインにより、公共交通車両内でのマナーの悪さを改善し、公共の道徳を醸成するための装置として利用可能である。
【図面の簡単な説明】
【００１７】
【図１】本発明の実施例を示す電車内でのマナーの悪さに対する注意喚起装置の斜視図である。
【図２】本発明の実施例を示す電車内でのマナーの悪さに対する注意喚起装置の平面模式図である。
【図３】本発明の他の実施例を示す電車内でのマナーの悪さに対する注意喚起装置を示す図である。
【符号の説明】
【００１８】
１    車両
２，２１    座席
３，２２，２３，２４，２５    座席に腰掛けている乗客
４    乗客の足
５    車両の進行方向の中心線
６，３１    床面上の第１のマナーライン（通路確保ライン）
７    第１のマーク
１１，３２    床面上の第２のマナーライン（区切りライン）
１２    第２のマーク
１３    撮像装置
Ｐ1 ，Ｐ2 ，Ｐ3 ，Ｐ4     画像
２６    床面
３４，３５，３６    マナーの悪い乗客の足
【図１】
0005275660.tif 000002
【図２】
0005275660.tif 000003
【図３】
0005275660.tif 000004